(57)【特許請求の範囲】
【請求項１】
キャリアにワイヤドット印字ヘッド及びマスク部材が取り付けられ、該マスク部材は、水平のベース板部と垂直のマスク本体とよりなり、該ベース板部を上記キャリアの上面に支持されて上記キャリアに垂直軸に関して回動可能に設けてあり、開く方向に回動されて上記印字ヘッドの前面を開放し、閉じた状態で上記マスク本体が上記印字ヘッドの前面に対向する構成である印字ヘッド装置において、
上記キャリアの上面の凸段部と、
ロッド形状を有し、上記凸段部の貫通孔を貫通して該凸段部より前方に突出して設けてあり、該軸部に対して偏心しており、回動させて位置を変えることによって先端の下端の高さが適宜定められ、該先端が上記閉じた状態にあるマスク部材のベース板部の上面を係止する係止部材と、
該係止部材を所定の回動位置に固定する部材とよりなり、
前記マスク部材が閉じた状態で、該マスク部材の前記ベース板部が前記キャリアの上面と前記係止部材の先端との間に挟まって押さえられる構成としたことを特徴とする印字ヘッド装置。
【発明の詳細な説明】
【０００１】
【産業上の利用分野】
本発明は印字ヘッド装置に係り、特にマスク部材の倒れ変位を制限する機構を備えた印字ヘッド装置に関する。
【０００２】
印字ヘッドの前面に対するマスク部材の位置は、印字品質に大きい影響を与えるため、１００分の数ｍｍ程度に精度良く定まっていることが必要とされる。
【０００３】
マスク部材が印字ヘッドに近づく方向に倒れてしまうと、マスク部材の上記の位置精度を損ねるため、倒れ変位を抑えることか必要とされる。
【０００４】
なお、リボンの交換のために、マスク部材はキャリアに対して回動可能に取り付けられている。倒れ変位を抑えることによってリボン交換の際のマスク部材の回動が渋くなるのは好ましくない。
【０００５】
【従来の技術】
図７及び図８は、従来の１例の印字ヘッド装置１を示す。
【０００６】
キャリア２上に、ワイヤドット印字ヘッド３が固定してある。またキャリア２に、マスク部材４が取り付けられてある。
【０００７】
マスク部材４は、ベース板部５ａと立上げ壁部５ｂとよりなるブラケット５と、この立上げ壁部５ｂに固定された細長帯状のマスク本体６とよりなる構成である。
【０００８】
マスク部材４は、ベース板部５ａの一端側を、軸７によって、キャリア２の段部２ａの上面２ｂに、Ｘ−Ｙ面内で回動可能に取り付けてある。
【０００９】
マスク部材４は、リボン交換に際して、図９に示すよう回動され、印字ヘッド３の前面３ａが開放される。
【００１０】
リボンマスク部材４は、図９に示す状態から、矢印Ａ方向に回動され、Ｕ字状切欠４ａを軸８に嵌合され、Ｖ字切欠４ｂを板ばね９に係止されて閉じた状態とされ、この状態に保持される。
【００１１】
この状態で、印字ヘッド３の前面３ａとマスク本体６の前面との間の寸法ａが、例えば０．２８ｍｍ±０．０２ｍｍ程度に精度良く定まっている必要がある。これより狭いと、リボンの走行性が悪くなり、逆にこれより広いと、印字品質が悪くなるからである。
【００１２】
上記の軸７，８は共に偏心軸としてあり、この軸８を適宜回動させることによって、上記寸法ａが調整されている。
【００１３】
また、この軸７（８）は、図１０に拡大して示すように、鍔部７ａを有する。マスク部材４のＸ軸回りの倒れ変位を抑えるためである。
【００１４】
しかし、マスク部材４をリボン交換時に円滑に回動できるようにするためには、鍔部７ａと、ブラケット５のベース部材５ａとの間には、若干の隙間ｂを設ける必要がある。
【００１５】
【発明が解決しようとする課題】
上記の隙間ｂが存在することによって、マスク部材４は、図１０中、二点鎖線で示すように、僅かではあるけれどもＸ軸回りにガタついて倒れ変位する。
【００１６】
こゝで、プラテン１０は一旦矢印Ｙ1 方向にそれ以上移動しない位置まで移動し、その後Ｙ2 方向に所定量戻されて位置決めされる。
【００１７】
プラテン１０が当たると、マスク部材４は、図１０中、実線で示す位置から二点鎖線で示す位置まで倒れ、この後プラテンが戻りを開始する。
【００１８】
このため、プラテン１０及びマスク部材４の印字ヘッド３の前面に対する位置精度が悪くなり、印字品質が低下してしまう。
【００１９】
そこで、本発明は、マスク部材の倒れ変位を制限する機構を設けて、マスク部材の印字ヘッドに対する位置を一定とすることにより印字品質の向上を図った印字ヘッド装置を提供することを目的とする。
【００２０】
【課題を解決するための手段】
請求項１の発明は、キャリアにワイヤドット印字ヘッド及びマスク部材が取り付けられ、該マスク部材は、水平のベース板部と垂直のマスク本体とよりなり、該ベース板部を上記キャリアに垂直軸に関して回動可能に設けてあり、開く方向に回動されて上記印字ヘッドの前面を開放し、閉じた状態で上記マスク本体が上記印字ヘッドの前面に対向する構成である印字ヘッド装置において、
上記キャリアの上面の凸段部と、
ロッド形状を有し、上記凸段部の貫通孔を貫通して該凸段部より前方に突出して設けてあり、該軸部に対して偏心した係止部材と、
該係止部材を所定の回動位置に固定する部材とよりなり、
上記係止部材の先端が上記閉じた状態にあるマスク部材のベース板部の上面を係止する構成としたものである。
【００２２】
【作用】
請求項１の倒れ変位制限手段を設けた構成は、マスク部材の印字ヘッドに近づく方向の倒れ変位を制限すると共に、マスク部材の回動軸の部分に十分な隙間を設けることを可能とするように作用する。
【００２３】
請求項２の変心したロッド形状の係止部材をキャリアより前方に突出させて設け、これを適宜回動位置で固定する構成は、マスク部材のうち、印字ヘッドに近づく方向へ倒れる変位をすると仮定するときの回動支点から遠い部位を係止することを可能とするように作用する。
【００２４】
係止部材が偏心したロッド形状であり且つ所望の回動位置に固定される構成は、マスク部材の倒れを制限する位置の調整を可能とするように作用する。
【００２５】
【実施例】
図２に示す印字ヘッド装置２０は、キャリア２１上に、ワイヤドット印字ヘッド２２（図示の便宜上取り外してある）及び紙の汚れを防止するマスク部材２３が取り付けられた構成である。
【００２６】
マスク部材２３は、ベース板部２４ａと立上げ壁部２４ｂとよりなるブラケット２４と、この立上げ壁部２４ｂに固定された細長帯状のマスク本体２５とよりなる構成である。
【００２７】
マスク部材２３は、図４及び図５に併せて示すように、図２中、ベース板部２４ａの左端側を、キャリア２１の上面２１ａ上に支持されて、且つこの上面２１ａに固定された軸２６によって軸支されて、Ｘ−Ｙ面内で回動可能である。
【００２８】
このマスク部材２３は、リボン交換に際して、図３に示すように回動され、印字ヘッド２２の前面２２ａが開放される。
【００２９】
リボンを交換した後、マスク部材２３は、図３に示す状態から矢印Ａ方向に回動され、先端側のＵ字状切欠部２３ａを、上記上面２１ａ上の軸２７に嵌合され、Ｖ字状切欠２３ｂを、キャリア２１に取り付けてある板バネ２８に係止されて、閉じた状態とされ、この状態に保持される。
【００３０】
軸２６，２７は共に偏心軸であり、適宜回動させてその位置に固定してある。これにより、マスク部材２３のキャリア２１（即ち、印字ヘッド２２）に対する位置が適宜調整されて、図１中、印字ヘッド２２の前面２２ａとマスク本体２５の前面との間の寸法ａが所望の寸法としてある。
【００３１】
３０は本発明の要部をなす係止部材であり、図１乃至図４に示すように、キャリア２１の中央に、上面２１ａより突出して形成してある凸段部２１ｂの、Ｙ方向貫通孔２１ｃに嵌合して、凸段部２１ｂよりキャリア２１の前方に寸法ｃ突き出して設けてある。
【００３２】
係止部材３０は、ロッド形状を有し、径がｄ1 の円柱形状の係止部３０ａと、径ｄ1 より細い径ｄ2 の軸部３０ｂと、軸部３０ｂの先端のねじ部３０ｃとよりなる。
【００３３】
係止部３０ａは、軸部３０ｂに対して寸法ｅ偏心している。
【００３４】
係止部材３０は、軸部３０ｂを上記貫通孔２１ｃ内に挿通し、ねじ部３０ｃにナット３１を螺合して取り付けてある。
【００３５】
また、係止部３０ａには、径方向に貫通した孔３０ａ-1が形成してある。この孔３０ａ-1は、図４に二点鎖線で示すように治具３３を差し込んで、係止部材３０を適宜回動させるのに利用される。
【００３６】
係止部材３０は、治具３１を使用して適宜回動させ、係止部３０ａの下端の高さＨを適宜定めた状態で、固定部材としてのナット３１により固定してある。
【００３７】
上記の係止部材３０、凸段部２１ｂ、ナット３１等が、倒れ変位制限手段３２を構成する。
【００３８】
マスク部材２３は、ブラケット２４のベース板部２４ａを、図１，図２，図４に示すように係止部３０ａの下側にすべり込ませて閉じ位置に固定される。
【００３９】
ベース板部２４ａは、軸２６の部分では、図５に示すように、キャリア上面２１ａに載っており、軸２７の部分では、図６に示すように、キャリア上面２１ａに載っており、中央の係止部材３０の部分は図１に示すようにキャリア上面２１ａに載っており、全長に亘って図４に示すようにキャリア上面２１ａに載っている。
【００４０】
また、ベース板部２４ａはその長手方向上中央の部分を、図１，図２，図４に示すように、係止部３０ａによって押えられて係止されており、マスク部材２３は、図１中Ｘ軸回りの回動方向のうち矢印Ｂで示す時計方向の回動（倒れ）が確実に制限されている。
【００４１】
このため、プラテンを位置決めるに際して、プラテンがマスク部材２３のマスク本体２５に矢印Ｙ１で示すように押し当たった場合にも、ベース板部５ａが係止部３０ａにより係止されていることにより、マスク部材２３の矢印Ｂ方向の倒れは制限される。
【００４２】
これにより、プラテンは印字ヘッド装置２０に対して精度良く位置決めされる。
【００４３】
また、上記寸法ａも不要に変動することなく、安定に保たれる。
【００４４】
これにより、印字は従来に比べて高品質で行われる。
【００４５】
なお、マスク部材２３が矢印Ｂ方向へ倒れようとするときの回動の中心Ｏは、ベース部２４ａのうちＹ1 方向の先端２４ａ-1である。
【００４６】
係止部３０ａは、図６に示すように、上記中心Ｏからの寸法がｌであり、中心Ｏより比較的遠い位置に位置する。
【００４７】
このことによっても、マスク部材２３の上記倒れはより確実に制限される。
【００４８】
また、軸２６の個所については、図５に示すようにフランジ３５とベース板部２４ａとの間の隙間ｇ1 （従来同様）は０．０２〜０．０６ｍｍとしてある。軸２７の個所については、図６に示すように、フランジ３６とベース板部５ａとの間の隙間ｇ2 は、０．１ｍｍ程度としてある。この隙間ｇ2 の寸法は、図１０の従来の場合よりも若干大きくしてある。隙間ｇ2 を大きくしても、マスク部材２３の矢印Ｂ方向の倒れは、係止部３０ａによって確実に制限することが出来るからである。
【００４９】
隙間ｇ1 ，ｇ2 を上記のように定めたことにより、マスク部材２３の回動に渋りは無く、マスク部材２３は従来に比べて円滑に回動し、リボン交換作業は円滑に行われる。
【００５０】
また、係止部材３０は、偏心したロッド形状であるため、係止部３０ａの下端の高さＨを可変できる。
【００５１】
この高さＨを適宜調整することによって、印字ヘッド装置毎の組立誤差の影響を無くして、各印字ヘッド装置について、マスク部材の倒れが制限されるときの、マスク本体２５の印字ヘッド２２の前面２２ａに対する位置が所望の公差内に定められる。
【００５２】
【発明の効果】
以上説明した様に、請求項１の発明によれば、プラテンの位置決め時にマスク部材に倒れが生じないため、マスク部材及びプラテンを夫々印字ヘッドに対して所望の位置に位置決めすることが出来、従来に比べて、印字品質を向上させることが出来る。また、マスク部材の回動軸の部分に十分な隙間をとることが出来、リボン交換作業時にマスク部材を円滑に回動させることが出来る。しかも、マスク部材のうち、これが倒れ変位をすると仮定したときの回動支点から遠い部分を係止するため、この回動支点の近くを係止する場合に比べて、マスク部材の倒れ変位をより確実に制限することが出来る。更には、マスク部材の倒れ変位が制限される位置を調整することが出来、然して、印字ヘッド装置毎の組立誤差等を解消することが出来る。
【図面の簡単な説明】
【図１】本発明の印字ヘッド装置の一実施例の要部を示す、図２中Ｉ−Ｉ線に沿う拡大断面図である。
【図２】本発明の一実施例になる印字ヘッド装置の平面図である。
【図３】図２中、マスク部材を開放した状態を示す図である。
【図４】図２中、IV-IV 線に沿う拡大断面図である。
【図５】図２中、Ｖ−Ｖ線に沿う拡大断面図である。
【図６】図２中、VI-VI 線に沿う拡大断面図である。
【図７】従来の印字ヘッド装置の１例の平面図である。
【図８】図７の印字ヘッドの側面図である。
【図９】図７中、マスク部材を開放した状態を示す図である。
【図１０】マスク部材の倒れ変位を説明する図である。
【符号の説明】
２０  印字ヘッド装置
２１  キャリア
２１ａ  上面
２１ｂ  凸段部
２１ｃ  貫通孔
２２  ワイヤドット印字ヘッド
２３  マスク部材
２３ａ  Ｕ字状切欠
２３ｂ  Ｖ字状切欠
２４  ブラケット
２４ａ  ベース板部
２４ａ-1  先端（倒れ変位の回動中心）
２４ｂ  立上げ壁部
２５  マスク本体
２６，２７  軸
２８  板ばね
３０  係止部材
３０ａ  係止部
３０ａ-1  孔
３０ｂ  軸部
３０ｃ  ねじ部
３１  ナット
３２  倒れ変位制限手段
３３  治具
３５，３６  フランジ
【図１】
0003652710.tif 000002
【図２】
0003652710.tif 000003
【図３】
0003652710.tif 000004
【図４】
0003652710.tif 000005
【図５】
0003652710.tif 000006
【図６】
0003652710.tif 000007
【図７】
0003652710.tif 000008
【図８】
0003652710.tif 000009
【図９】
0003652710.tif 000010
【図１０】
0003652710.tif 000011